(57)【特許請求の範囲】
【請求項１】
周壁２上端に外向きフランジ３を付設した容器本体１と、該容器本体上端面を閉塞する蓋板１１後部を薄肉ヒンジ１２を介して外向きフランジ３後部へ連結した蓋体１０とを有し、上記蓋板１１と外向きフランジ３とのそれぞれの前部に、前後方向への一対の切込み１８を、前方からみて上方に拡開するテーパ状に設けて、両切込み間の蓋板部分を弾性係合片１９、かつ外向きフランジ部分を弾性離脱片２０となし、上記弾性係合片１９の押下げにより弾性離脱片２０を下方へ弾性変形させて、弾性係合片１９前部を外向きフランジの両切込み１８間へ弾性嵌合可能に形成したことを特徴とする納豆容器。
【発明の詳細な説明】
【０００１】
【発明の属する技術分野】
本発明は納豆を収納する納豆容器に関する。
【０００２】
【従来の技術】
納豆容器として、周壁上端に外向きフランジを付設した容器本体と、容器本体上端面を開閉自在な蓋とを有するものが知られている。
【０００３】
【発明が解決しようとする課題】
納豆容器は空にした後でも、ねばり成分が付着していて、これが他の物に付くなどして周囲を汚すことがあるうえに臭気を伴うことから、容器本体を蓋で閉塞させて廃棄することが多いが、納豆容器の蓋はそれ自体で容器本体へ固定させるための手段を有しないため、輪ゴムやテープ等の適当なものを用いて蓋が容易に開放しないようにしており不便であった。
【０００４】
そこで、本発明は、蓋体を押し下げるだけで閉蓋状態に保持可能とすることにより、容器を廃棄するに際して閉蓋状態を保持させるための輪ゴム等の留め具を不要とするものである。
【０００５】
また、本発明は、容器本体に対する蓋体の固定をより強固にしようとするものである。
【０００６】
さらに、本発明は、簡素な構成で容器本体に対する蓋体の固定をより強固にしようとするものである。
【０００７】
【課題を解決するための手段】
第１の手段として、周壁２上端に外向きフランジ３を付設した容器本体１と、該容器本体上端面を閉塞する蓋板１１後部を薄肉ヒンジ１２を介して外向きフランジ３後部へ連結した蓋体１０とを有し、上記蓋板１１と外向きフランジ３とのそれぞれの前部に、前後方向への一対の切込み１８を、前方からみて上方に拡開するテーパ状に設けて、両切込み間の蓋板部分を弾性係合片１９、かつ外向きフランジ部分を弾性離脱片２０となし、上記弾性係合片１９の押下げにより弾性離脱片２０を下方へ弾性変形させて、弾性係合片１９前部を外向きフランジの両切込み１８間へ弾性嵌合可能に形成したことを特徴とする。
【００１０】
【発明の実施の形態】
以下、本発明に係る納豆容器を図面に示す実施形態を参照しながら説明する。図１乃至図６は第１実施形態に係る納豆容器を示す。１は容器本体で、四角形状の周壁２上端から四角形状の外向きフランジ３を突設して、該外向きフランジ前部に半球形状の嵌合凹部４を形成する。
【００１１】
１０は蓋体で、容器本体１上端面を閉塞する四角形状の蓋板１１後部を薄肉ヒンジ１２を介して外向きフランジ３後部へ連結し、かつ蓋板１１前部に嵌合突部１３を形成して、図２に示すように該嵌合突部を嵌合凹部４内へ嵌合させる。
なお、図１では嵌合凹部４と嵌合突部１３とはそれぞれ単数設けられているが、図４に示すように複数形成することも可能である。
【００１２】
また、上記では外向きフランジ３に嵌合凹部４を、また蓋板１１に嵌合突部１３を、それぞれ形成しているが、これとは逆に外向きフランジ３に嵌合突部を、また蓋板１１に嵌合凹部を、それぞれ形成することもできる。
さらに、図１及び図２では、嵌合凹部４と嵌合突部１３とは半球形状に形成されているが、これに限らず図５及び図６に示すように嵌合凹部４を左右へ長い凹溝に、また嵌合突部１３を左右に長い突条に形成することも可能である。
なお、図３に示すように、嵌合凹部４の代わりに透孔を設けることも可能である。この場合には嵌合突部１３に環状突条を周設して、これを透孔下面へ係合させる。
【００１３】
さらに、図１乃至図６に示す容器の形状は四角形状であるが、これに限らず円形状に形成することも可能であり、この場合には外向きフランジ３及び蓋板１１も円形状に形成する。
【００１４】
次に本実施形態の作用について説明する。
納豆の収納工程においては、納豆を容器本体１内に収納した後、蓋板１１を閉じて嵌合突部１３を嵌合凹部４内へ嵌合させ、次いで蓋板１１を外向きフランジ３へ超音波溶接によりスポット溶接する。
納豆を容器から取り出すためには、蓋板１１を持ち上げて外向きフランジ３から離脱させることにより開蓋させればよい。
容器を廃棄するには、蓋板１１を閉じて嵌合突部１３を嵌合凹部４内へ嵌合させればよく、該嵌合により蓋板１１は留め具を用いなくとも閉蓋状態を保持する。
【００１５】
図７は第２実施形態に係る納豆容器を示す。本実施形態では、蓋板１１前部に前後方向への一対の切込み１５を形成して、両切込み間の蓋板部分を弾性係合片１６とする。一方、外向きフランジ３前部にあり溝１７を設ける。その他の構成については図１に示す第１の実施形態と同様であるから説明を省略する。
【００１６】
本実施形態では、納豆収納工程においては容器本体１内へ納豆を収納した後、蓋体１１を閉じて弾性係合片１６を押し下げてあり溝１７内へ弾性嵌合させるだけでよく、溶着は不要である。
納豆を容器から取り出すには、弾性係合片１６を持ち上げてあり溝１７から上方へ離脱させて蓋体１１を持ち上げればよい。
容器を廃棄するには、弾性係合片１６を押し下げてあり溝１７内へ弾性嵌合させればよく、これにより蓋体１１は閉蓋状態を保持するため、留め具は不要である。
【００１７】
図８及び図９は第３実施形態に係る納豆容器を示す。本実施形態では、蓋板１１と外向きフランジ３とのそれぞれの前部に、前後方向への一対の切込み１８を、前方からみて上方に拡開するテーパ状に設けて、両切込み間の蓋板部分を弾性係合片１９に形成すると共に、外向きフランジ部分を弾性離脱片２０に形成し、弾性係合片１９の押し下げにより弾性離脱片２０を下方へ弾性変形させて、弾性係合片１９前部を外向きフランジ３の両切込み１８間へ弾性嵌合可能に形成する。
【００１８】
なお、一対の切込み１８は上方から見て前方へ拡開するテーパ状に形成するが、この際、各切込みの幅Ｗは、図示例のように弾性係合片１９の前端部上端が外向きフランジ３の両切込み１８下端間へ弾性嵌合可能な幅に形成する。
その他の構成については図１に示す第１の実施形態と同様であるから説明を省略する。
【００１９】
本実施形態では、納豆収納工程において、容器本体１内へ納豆を収納した後、蓋体１１を閉じて弾性係合片１９を押し下げるだけでよく、すると該弾性係合片が弾性離脱片２０を下方へ弾性変形させて、弾性係合片１９の前端部上端が外向きフランジ３の両切込み１８下端間へ弾性嵌合する。
納豆を容器から取り出すには、弾性係合片１９を持ち上げて、外向きフランジ３の両切込み１８下端間から上方へ離脱させて蓋板１１を開蓋すればよい。
容器を廃棄するには、弾性係合片１９を押し下げて外向きフランジ３の両切込み１８下端間へ弾性嵌合させればよく、該嵌合により蓋板１１は閉蓋状態を保持するため、留め具は不要である。
【００２０】
【発明の効果】
本発明は、容器自体に蓋体を閉蓋状態に保持することが可能な係合手段を有するため、納豆取出し後の容器本体に残ったねばり成分が他に付着することや、臭気の発散が防止される。また、容器を廃棄するに際して閉蓋状態を保持させるための輪ゴム等の留め具を必要とせず、このため廃棄が容易になる。
【００２１】
また、本発明は、弾性係合片の押下げでその前部を一対の切込み間内へ弾性嵌合可能に形成したので、容器本体に対する蓋体の固定が強固であり、従って、納豆収納後に溶着等の手段で蓋体を容器本体に固定させる必要がない。
【００２２】
さらに、本発明は、蓋板と外向きフランジとのそれぞれに切込みを設けるだけであるから構成が簡素である。
【図面の簡単な説明】
【図１】本発明に係る納豆容器の第１実施形態を示す斜視図。
【図２】同じく、嵌合突部を嵌合凹部へ嵌合させた断面状態を示す説明図。
【図３】同じく、変形例を示す図２相当図。
【図４】同じく、変形例を示す要部斜視図。
【図５】同じく、他の変形例を示す要部斜視図。
【図６】同じく、嵌合突部を嵌合凹部へ嵌合させた断面状態を示す説明図。
【図７】本発明に係る納豆容器の第２実施形態を示す要部斜視図。
【図８】本発明に係る納豆容器の第３実施形態を示す要部斜視図。
【図９】同じく、図７の正面図。
【符号の説明】
１ 容器本体
２ 周壁
３ 外向きフランジ
４ 嵌合凹部
１０ 蓋体
１１ 蓋板
１２ 薄肉ヒンジ
１３ 嵌合突部
１５ 切込み
１６ 弾性係合片
１７ あり溝
１８ 切込み
１９ 弾性係合片
２０ 弾性離脱片
【図１】
0003859899.tif 000002
【図２】
0003859899.tif 000003
【図３】
0003859899.tif 000004
【図４】
0003859899.tif 000005
【図５】
0003859899.tif 000006
【図６】
0003859899.tif 000007
【図７】
0003859899.tif 000008
【図８】
0003859899.tif 000009
【図９】
0003859899.tif 000010